(57)【特許請求の範囲】
【請求項１】
矩形平板状の光源部と、前記光源部と相対して配置され該光源部を装着する平板状のソケットと、を備えた照明器具であって、
前記ソケットの最大外形長さは、前記光源部の一辺の長さと等しい又は該光源部の一辺の長さの半分となっており、
前記ソケットは、その端部に他の前記ソケットとの位置合わせに用いられる目印を有することを特徴とする照明器具。
【請求項２】
前記ソケットは、多角形状に形成され、
前記ソケットに前記光源部が装着されたときに、前記ソケットの端部と前記光源部の辺とは、互いに平行になることを特徴とする請求項１に記載の照明器具。
【請求項３】
前記ソケットは、前記光源部が装着される矩形平板状の本体部と、前記本体部の各辺から四方に拡張された矩形平板状の拡張部と、を有し、十字状に形成されていることを特徴とする請求項１又は請求項２に記載の照明器具。
【請求項４】
前記ソケットは、他の前記照明器具又は外部機器との接続に用いられる複数のコネクタ接続部を有し、
前記複数のコネクタ接続部は、前記本体部の一の辺に連なる前記拡張部の各辺にそれぞれ設けられていることを特徴とする請求項３に記載の照明器具。
【請求項５】
前記ソケットは、前記光源部が装着される矩形平板状の本体部と、前記本体部と該本体部の一の辺を共有して設けられた矩形平板状の第１拡張部と、前記一の辺と対峙する辺を介して前記本体部に隣接して設けられ該本体部に対して前記一の辺に沿った両方向に拡張された矩形平板状の第２拡張部と、を有し、Ｔ字状に形成されていることを特徴とする請求項１又は請求項２に記載の照明器具。
【請求項６】
前記ソケットは、他の前記照明器具又は外部機器との接続に用いられる複数のコネクタ接続部を有し、
前記複数のコネクタ接続部は、前記第１拡張部において前記一の辺に直交する二辺にそれぞれ設けられていることを特徴とする請求項５に記載の照明器具。
【請求項７】
前記一の辺に直交する方向における前記本体部の長さと前記第１拡張部の長さとの和は、同方向における前記第２拡張部の長さよりも長いことを特徴とする請求項５又は請求項６に記載の照明器具。
【請求項８】
前記ソケットは、矩形平板状に形成され、少なくともその一辺の長さは、前記光源部の一辺の長さの半分となっていることを特徴とする請求項１又は請求項２に記載の照明器具。
【請求項９】
前記ソケットは、前記光源部を装着する平板状の本体部と、前記本体部の端部から該本体部と平行に拡張された拡張部と、を有し、
前記拡張部は、前記本体部から分離可能になっていることを特徴とする請求項１又は請求項２に記載の照明器具。
【請求項１０】
前記拡張部は、折り曲げ可能なシートにより構成されていることを特徴とする請求項９に記載の照明器具。
【請求項１１】
前記拡張部は、前記光源部と相対する面とは反対側の面において前記本体部の周囲に塗布された接着剤を有することを特徴とする請求項９又は請求項１０に記載の照明器具。
【請求項１２】
前記拡張部は、ミシン目又は部分的に連結された穴により前記本体部と接続されていることを特徴とする請求項９乃至請求項１１のいずれか一項に記載の照明器具。
【請求項１３】
前記拡張部は、前記本体部に接着されていることを特徴とする請求項９乃至請求項１２のいずれか一項に記載の照明器具。
【請求項１４】
複数の前記本体部は、前記拡張部により互いに連結されて一体に構成されていることを特徴とする請求項９乃至請求項１３のいずれか一項に記載の照明器具。
【発明の詳細な説明】
【技術分野】
【０００１】
本発明は、有機ＥＬ素子を光源とする照明器具に関する。
【背景技術】
【０００２】
有機ＥＬ素子は、低電圧で高輝度の発光が可能であり、また、含有する有機化合物の種類によって様々な発光色を与える面発光体である。このような有機ＥＬ素子を光源とする照明器具として、有機ＥＬ素子を有し矩形平板状に形成された光源部と、この光源部と相対して配置され該光源部を装着するソケットと、を備えたものが知られている（例えば、特許文献１参照）。ソケットは、略円板状に形成され、光源部よりも小さく構成されている。
【先行技術文献】
【特許文献】
【０００３】
【特許文献１】特開２０１４−１０３１００号公報
【発明の概要】
【発明が解決しようとする課題】
【０００４】
上述したような照明器具を天井面や壁面等の施工面に取り付けるときには、まず、ソケットを施工面に固定し、次いで、ソケットに光源部を装着する。そのため、光源部同士が互いに隣接するように複数の照明器具を配置しようとすると、光源部間に隙間ができたり光源部同士が重なったりしないようソケット間の間隔を厳密に計測して、ソケットを所定位置に正確に固定する必要がある。従って、ソケットの固定に大きな手間がかかる。
【０００５】
本発明は、上記課題を解決するものであって、光源部及び光源部を装着するソケットを備えた照明器具において、複数の光源部を互いに隣接させて配置するときに、容易にソケットを所定位置に正確に固定することができる照明器具を提供することを目的とする。
【課題を解決するための手段】
【０００６】
本発明の照明器具は、矩形平板状の光源部と、前記光源部と相対して配置され該光源部を装着する平板状のソケットと、を備え、前記ソケットの最大外形長さは、前記光源部の一辺の長さと等しい又は該光源部の一辺の長さの半分となっており、前記ソケットは、その端部に他の前記ソケットとの位置合わせに用いられる目印を有することを特徴とする。
【発明の効果】
【０００７】
本発明によれば、ソケットの大きさが光源部の大きさに対応しているので、複数の光源部を互いに隣接させて配置するときに、容易にソケットを所定位置に正確に固定することができる。
【図面の簡単な説明】
【０００８】
【図１】本発明の第１の実施形態に係る照明器具の分解斜視図。
【図２】上記照明器具を構成する光源部に設けられた係合部の分解斜視図。
【図３】複数の上記照明器具を互いに隣接して配置した状態を示す平面図。
【図４】上記実施形態の変形例に係る照明器具の分解斜視図。
【図５】複数の上記照明器具を互いに隣接して配置した状態を示す平面図。
【図６】上記実施形態の別の変形例に係る照明器具の分解斜視図。
【図７】複数の上記照明器具を互いに隣接して配置した状態を示す平面図。
【図８】上記実施形態の更に別の変形例に係る照明器具の分解斜視図。
【図９】複数の上記照明器具を互いに隣接して配置した状態を示す平面図。
【図１０】本発明の第２の実施形態に係る照明器具を光源部側から見た分解斜視図。
【図１１】上記照明器具の側断面図。
【図１２】上記実施形態の変形例に係る照明器具を光源部側から見た分解斜視図。
【図１３】上記実施形態の別の変形例に係る照明器具を光源部側から見た分解斜視図。
【図１４】上記照明器具の側断面図。
【図１５】上記実施形態の更に別の変形例に係る照明器具を光源部側から見た分解斜視図。
【図１６】上記照明器具の側断面図。
【図１７】上記照明器具を構成する拡張部の斜視図。
【図１８】上記実施形態の更に別の変形例に係る照明器具の側断面図。
【図１９】上記実施形態の更に別の変形例に係る照明器具を光源部側から見た分解斜視図。
【発明を実施するための形態】
【０００９】
本発明の第１の実施形態に係る照明器具について図１乃至図３を参照して説明する。図１に示すように、照明器具１は、平板状の光源部２と、光源部２と相対して配置された平板状のソケット３と、を備える。
【００１０】
ソケット３の光源部２と相対した面は、光源部２を装着するための装着面３Ａであり、装着面３Ａとは反対側の面は、ソケット３を天井面や壁面等の施工面に固定するための設置面３Ｂである。ソケット３は、矩形平板状の本体部３１と、本体部３１の各辺から四方に拡張された４つの拡張部３２ａ、３２ｂ、３２ｃ、３２ｄと、を有する。図例では、本体部３１は、正方形状に形成されている。拡張部３２ａ〜３２ｄは、それぞれ本体部３１と共有する辺を長辺とする長尺な矩形状に形成され、互いに同じ大きさに構成されている。これにより、ソケット３は、縦横の最大外形長さを共にＬとする十字状に形成されている。拡張部３２ａ〜３２ｄは、それぞれ本体部３１と共有する辺に対峙する辺Ｓ１の中央に、複数のソケット３を互いに隣接して配置するときに他のソケット３との位置合わせに用いられる目印３３を有する。目印３３は、図例では切り込みにより設けられているが、このような切込みに限定されず、例えば、突起物の形成、シールの貼着又は図形等のプリントにより設けられていてもよい。
【００１１】
また、ソケット３は、本体部３１の中央に設けられ光源部２を装着するための保持部３４と、ソケット３と他の照明器具１又は外部機器との接続に用いられる複数のコネクタ接続部３５と、を有する。保持部３４は、光源部２の係合部２３（後述参照）が嵌り込む開口３４ａと、開口３４ａの内側面に設けられ係合部２３の係合爪２４、２５（後述参照）と係合する保持爪３４ｂ、３４ｃと、を有する。開口３４ａは、矩形状に形成され、その各辺が本体部３１の各辺と平行となるように設けられている。保持爪３４ｂ、３４ｃは、本体部３１の一の辺Ｓ２と直交する方向Ｄにおける各側面にそれぞれ設けられている。コネクタ接続部３５は、辺Ｓ２に連なる拡張部３２ａ、３２ｃの短辺にそれぞれ設けられたコネクタ接続部３５ａ、３５ｂにより構成されている。
【００１２】
また、ソケット３は、装着面３Ａに設けられ光源部２の給電端子２２ａ、２２ｂ（後述参照）が挿通される一対の端子挿通穴（不図示）と、端子挿通穴に挿通された給電端子２２ａ、２２ｂと電気的に接続される一対の端子受け部３６ａ、３６ｂと、を有する。端子受け部３６ａ、３６ｂは、それぞれコネクタ接続部３５ａ、３５ｂと電気的に接続されている。
【００１３】
光源部２は、矩形状に形成され、図例では、一辺の長さをＬとする正方形状に形成されている。すなわち、光源部２の一辺の長さは、ソケット３の最大外形長さと等しくなっている。光源部２のソケット３と相対した面は、ソケット３に取り付けられる取付面２Ａであり、取付面２Ａとは反対側の面は、光を出射する出射面である。光源部２は、光源となる矩形平板状の有機ＥＬ素子２１と、有機ＥＬ素子２１の陽極及び陰極（不図示）の各々と接続され取付面２Ａから立設された給電端子２２ａ、２２ｂと、取付面２Ａに設けられソケット３の保持部３４と係合する係合部２３と、を有する。
【００１４】
給電端子２２ａ、２２ｂは、係合部２３が保持部３４に係合するとソケット３の端子受け部３６ａ、３６ｂに接続される。これにより、有機ＥＬ素子２１は、その陽極及び陰極、給電端子２２ａ、２２ｂ、端子受け部３６ａ、３６ｂ、そしてコネクタ接続部３５ａ、３５ｂを介して他の照明器具１の有機ＥＬ素子２１や外部機器に接続される。係合部２３は、ソケット３の保持爪３４ｂ、３４ｃと係合する係合爪２４、２５と、係合爪２４、２５を方向Ｄに沿って互いに反対方向に付勢するバネ２６と、係合爪２４、２５の方向Ｄにおける移動を規制する一対の規制部２７と、を有する。
【００１５】
図２に示すように、係合爪２４、２５は、方向Ｄに直交して取付面２Ａと平行に伸びる一対の突起２４ａ、２５ａを有する。規制部２７は、突起２４ａ、２５ａに対向して設けられ突起２４ａ、２５ａが嵌り込むスライド溝２７ａと、スライド溝２７ａの方向Ｄにおける両端部にそれぞれ設けられ突起２４ａ、２５ａと当接する一対の壁２７ｂと、を有する。このように係合部２３を構成することで、係合爪２４、２５は、突起２４ａ、２５ａがスライド溝２７ａ内で動く範囲において方向Ｄに沿ってスライド可能となる。
【００１６】
光源部２をソケット３に装着する場合には、光源部２の係合部２３をソケット３の開口３４ａに嵌め込むようにして光源部２をソケット３に近づける（図１参照）。そうすると、係合部２３の係合爪２４、２５が、ソケット３の保持爪３４ｂ、３４ｃに当接し、バネ２６の弾性力に逆らって互いに近づく方向に移動する。この状態で更に光源部２をソケット３の方に押し込むと、係合爪２４、２５が、保持爪３４ｂ、３４ｃの頂部を乗り越えた時点で再びバネ２６により互いに反対方向に付勢され、保持爪３４ｂ、３４ｃと係合する。これにより、光源部２がソケット３に装着される。このとき、光源部２の各辺とソケット３の辺Ｓ１（端部）とは、互いに平行となる。一方、光源部２をソケット３から取り外す場合には、光源部２をソケット３から引き離すように引っ張れば、上記過程が逆の順序で起こって係合爪２４、２５と保持爪３４ｂ、３４ｃとの係合が解除される。このように、ソケット３は、光源部２を着脱可能に装着する。
【００１７】
図３に示すように、上記のように構成された照明器具１をマトリクス状に設置する場合には、まず、複数のソケット３を、それぞれの辺Ｓ１を介して互いに隣接させた状態で、例えば、ネジ止めにより施工面に固定する。このとき、辺Ｓ１に目印３３が設けられているので、目印３３同士を合わせるようにソケット３を配置すれば、容易にソケット３同士を位置合わせすることができる。次いで、各々のソケット３に光源部２を装着する。このとき、光源部２の各辺とソケット３の辺Ｓ１とが互いに平行となるように光源部２を配置すれば、容易に光源部２をソケット３に装着することができる。また、光源部２の一辺の長さとソケット３の最大外形長さとが共にＬに構成されているので、ソケット３に装着された光源部２は、互いに隣接して配置されることになる。
【００１８】
互いに隣接して配置された光源部２同士は、コネクタ接続部３５ａ、３５ｂに接続されたコネクタ４を介して直列に接続される。このとき、コネクタ接続部３５ａ、３５ｂが拡張部３２ａ、３２ｃに設けられているので、照明器具１を光源部２側から見たときに、コネクタ４が光源部２により隠されて外部に露出しない。これにより、照明器具１の見栄えを良くすることができる。また、照明器具１を、例えば、施工面の裏側に配置した外部機器に接続する場合には、施工面において光源部２により隠される部分に施工面を貫通する孔Ｈを設け、その孔Ｈを通して配線したコネクタ４により照明器具１と外部機器とを接続する。このようにすることで、照明器具１を光源部２側から見たときに、照明器具１と外部機器との接続に用いられるコネクタ４も見えなくすることができる。
【００１９】
上述したように照明器具１によれば、ソケット３の大きさが光源部２の大きさに対応している。そのため、複数の光源部２を互いに隣接させて配置するときに、ソケット３を各々の辺Ｓ１を介して互いに隣接させて配置するだけで、容易にソケット３を所定位置に正確に固定することができる。
【００２０】
次に、上記実施形態の変形例に係る照明器具について図４及び図５を参照して説明する。図４に示すように、照明器具１１は、上述した照明器具１を基に、ソケット３の形状を変更したものである。照明器具１１のソケット３は、本体部３１と本体部３１の一の辺Ｓ２を共有して設けられた第１拡張部３７と、辺Ｓ２と対峙する辺Ｓ３を介して本体部３１に隣接して設けられ本体部３１に対して辺Ｓ２に沿った両方向に拡張された第２拡張部３８と、を有する。第１拡張部３７及び第２拡張部３８は、共に矩形平板状に形成され、ソケット３は、全体として縦横の最大外形長さを共にＬとするＴ字状に形成されている。また、方向Ｄにおける本体部３１、第１拡張部３７及び第２拡張部３８の長さをそれぞれＬ１、Ｌ２、Ｌ３とすると、Ｌ１とＬ２との和は、Ｌ３よりも長くなるように構成されている。
【００２１】
目印３３は、第１拡張部３７において辺Ｓ２に対峙する辺の中央に設けられ、第２拡張部３８において辺Ｓ３に対峙する辺の中央及び辺Ｓ３に直交する二辺の各中央にそれぞれ設けられている。コネクタ接続部３５は、第１拡張部３７において辺Ｓ２に直交する二辺にそれぞれ設けられたコネクタ接続部３５ａ、３５ｂにより構成されている。
【００２２】
図５に示すように、上記のように構成された照明器具１１でも、複数のソケット３をそれぞれの目印３３を合わせてマトリクス状に配置し、これらソケット３に光源部２を装着することで、光源部２を互いに隣接して配置することができる。また、コネクタ接続部３５ａ、３５ｂが第１拡張部３７に設けられているので、照明器具１１を光源部２側から見たときに、コネクタ接続部３５ａ、３５ｂに接続されたコネクタ４が、光源部２により隠されて外部に露出しない。また、Ｌ１とＬ２との和がＬ３よりも長いので、２つのソケット３（ドットで示す）を互いに１８０度回転させて配置したときに、これらソケット３の間に隙間Ｇが生じ、この隙間Ｇを通してコネクタ４を配線することができる。
【００２３】
次に、上記実施形態の別の変形例に係る照明器具について図６及び図７を参照して説明する。図６に示すように、照明器具１２は、上述した照明器具１を基に、ソケット３の形状を変更したものである。照明器具１２のソケット３は、矩形状に形成され、図例では、正方形状に形成されている。ソケット３の一辺の長さ（最大外形長さ）は、光源部２の一辺の長さの半分である（１／２）Ｌとなっている。
【００２４】
図７に示すように、上記のように構成されたソケット３は、ソケット３のダミーであるダミーソケット３ａと隣接して交互に配置される。ダミーソケット３ａは、例えば、ソケット３の外殻ケースのみから成り、ソケット３と同じ大きさに構成されている。ダミーソケット３ａは、すべてのソケット３を施工面に固定した後で取り除かれる。このようにすることで、ソケット３間の間隔をＬとすることができるので、ソケット３に装着される光源部２は、互いに隣接して配置されることになる。
【００２５】
次に、上記実施形態の更に別の変形例に係る照明器具について図８及び図９を参照して説明する。図８に示すように、照明器具１３は、上述した照明器具１を基に、ソケット３の形状を変更したものである。照明器具１３のソケット３は、矩形状に形成され、その一辺の長さが光源部２の一辺の長さの半分である（１／２）Ｌで、且つ他辺の長さが光源部２の一辺の長さと等しいＬに構成された長尺状に形成されている。
【００２６】
図９に示すように、上記のように構成されたソケット３は、そのダミーソケット３ａと各々の長辺を介して隣接して配置される。このようにすることで、ソケット３の短手方向におけるソケット３間の間隔がＬとなるので、ソケット３に装着される光源部２は、該短手方向に沿って互いに隣接して直線状に配置されることになる。
【００２７】
次に、本発明の第２の実施形態に係る照明器具について図１０及び図１１を参照して説明する。なお、図１１では断面のハッチングを省略している。照明器具１４は、上述した照明器具１を基に、ソケット３の形状を変更したものである。照明器具１４のソケット３は、円板状の本体部３１と、本体部３１の端部から本体部３１と平行に拡張された平板状の拡張部３２と、を有する。拡張部３２は、矩形状の外形を有し、その一辺の長さは、光源部２の一辺の長さと等しいＬとなっている。
【００２８】
拡張部３２は、本体部３１（ソケット３）の装着面３Ａに連なるようにして、部分的に連結された穴５により本体部３１と接続されている。穴５の連結部分５ａは、拡張部３２を本体部３１から引き離すように引っ張ることで分断され、これにより、拡張部３２は本体部３１から分離可能となっている。
【００２９】
上記のように構成された照明器具１４において複数の光源部２を互いに隣接して配置する場合には、まず、複数のソケット３を各々の拡張部３２の辺を介して互いに隣接させた状態で施工面に固定し、次いで、拡張部３２を本体部３１から分離する。これにより、間隔Ｌ毎に配置された本体部３１が得られ、このような本体部３１に光源部２を装着することで、光源部２を互いに隣接して配置することができる。また、拡張部３２が本体部３１から分離可能となっているので、拡張部３２が外部に露出して照明器具１４の見栄えが悪くなるのを防止することができると共に、照明器具１４の薄型化及び小型化を図ることができる。
【００３０】
次に、上記実施形態の変形例に係る照明器具について図１２を参照して説明する。照明器具１５は、上述した照明器具１４を基に、ソケット３の形状を変更したものである。照明器具１５のソケット３では、拡張部３２が、本体部３１とミシン目６を介して接続され、本体部３１から分離可能となっている。また、拡張部３２は、その辺の中央に略矩形状に切り込み形成された目印３３を有する。
【００３１】
上記のように構成された照明器具１５によれば、上述した照明器具１４で得られる効果に加えて、拡張部３２に目印３３が設けられているので、複数のソケット３を施工面に固定するときにソケット３同士を整列させ易くなる。
【００３２】
次に、上記実施形態の別の変形例に係る照明器具について図１３及び図１４を参照して説明する。なお、図１４では断面のハッチングを省略している。照明器具１６は、上述した照明器具１４を基に、ソケット３の形状を変更したものである。照明器具１６のソケット３では、拡張部３２が、折り曲げ可能なシートにより構成され、本体部３１（ソケット３）の装着面３Ａに貼着されている。
【００３３】
上記のように構成された照明器具１６によれば、上述した照明器具１４で得られる効果に加えて、拡張部３２が折り曲げ可能なシートにより構成されているので、拡張部３２を小さく折り畳んでソケット３の嵩を小さくすることができる。これにより、例えば、照明器具１６の出荷時において、ソケット３の梱包寸法を小さくすることができる。また、光源部２と同じ大きさのシートをソケット３の装着面３Ａに貼着するだけで拡張部３２を構成することができるので、低コスト且つ簡便に拡張部３２を設けることができる。
【００３４】
次に、上記実施形態の更に別の変形例に係る照明器具について図１５乃至図１７を参照して説明する。なお、図１６では断面のハッチングを省略している。照明器具１７は、上述した照明器具１６を基に、ソケット３の形状を変更したものである。照明器具１７のソケット３では、拡張部３２が、本体部３１（ソケット３）の設置面３Ｂに連なるように配置され、本体部３１に対応する形状に切り抜かれた切り抜き３２ｅと、切り抜き３２ｅの端部から本体部３１の側面を覆うように折り返された折り返し部３２ｆと、を有する。折り返し部３２ｆは、本体部３１から分離可能に本体部３１の側面に貼着されている。
【００３５】
上記のように構成された照明器具１７によれば、上述した照明器具１６と同様の効果を得ることができる。ここで、照明器具１６では、拡張部３２が本体部３１の装着面３Ａに貼着されているので、装着面３Ａとは反対側の設置面３Ｂを介してソケット３を施工面に固定したときに、施工面と拡張部３２との間に本体部３１の厚み分だけ隙間ができる。一方、照明器具１７では、拡張部３２が設置面３Ｂに連なっているので、ソケット３を施工面に固定したときに、施工面と拡張部３２との間に隙間ができない。これにより、施工面において光源部２が占める範囲を正確に知ることができるので、より正確にソケット３を所定位置に固定することができる。
【００３６】
次に、上記実施形態の更に別の変形例に係る照明器具について図１８を参照して説明する。なお、図例では断面のハッチングを省略している。照明器具１８は、上述した照明器具１７を基に、拡張部３２において本体部３１（ソケット３）の設置面３Ｂに連なる面に接着剤３９を更に設けたものである。接着剤３９は、本体部３１の周囲を取り囲むように円環状に塗布されている。
【００３７】
上記のように構成された照明器具１８によれば、例えば、ネジ止めによりソケット３を施工面に固定する前に、接着剤３９によりソケット３を施工面に仮固定することができる。これにより、ソケット３の施工面への固定をより円滑に行うことができ、作業効率を向上させることができる。
【００３８】
次に、上記実施形態の更に別の変形例に係る照明器具について図１９を参照して説明する。照明器具１９のソケット３では、複数の本体部３１が、本体部３１間の間隔がＬとなるようにして拡張部３２により互いに連結されて一体に構成されている。
【００３９】
上記のように構成された照明器具１９によれば、複数の本体部３１を一括して施工面に固定することができるので、本体部３１を一つ一つ固定する場合に比べて、作業効率を向上させることができる。また、本体部３１間の間隔がＬとなっているので、これら本体部３１に装着された光源部２は、互いに隣接して配置されることになる。
【００４０】
なお、本発明に係る照明器具は、上記実施形態及びその変形例に限定されず種々の変形が可能である。例えば、光源部の光源は、必ずしも有機ＥＬ素子に限定されず、ＬＥＤや蛍光灯であってもよい。また、ソケットの外形は、上述したものに限定されず、例えば、円板状であってもよい。
【符号の説明】
【００４１】
１、 １１、１２、１３、１４、１５、１６、１７、１８、１９  照明器具
２  光源部
３  ソケット
３１  本体部
３２ａ、３２ｂ、３２ｃ、３２ｄ  拡張部
３３  目印
３５、３５ａ、３５ｂ  コネクタ接続部
３７  第１拡張部
３８  第２拡張部
３９  接着剤
５  穴
６  ミシン目
Ｄ  （ソケットの）一の辺に直交する方向
Ｌ  光源部の一辺の長さ、ソケットの最大外形長さ
Ｌ１  （ソケットの一の辺に直交する方向における）本体部の長さ
Ｌ２  （ソケットの一の辺に直交する方向における）第１拡張部の長さ
Ｌ３  （ソケットの一の辺に直交する方向における）第２拡張部の長さ
Ｓ２  本体部の一の辺
Ｓ３  本体部の一の辺に対峙する辺
【図１】
0006406573.tif 000002
【図２】
0006406573.tif 000003
【図３】
0006406573.tif 000004
【図４】
0006406573.tif 000005
【図５】
0006406573.tif 000006
【図６】
0006406573.tif 000007
【図７】
0006406573.tif 000008
【図８】
0006406573.tif 000009
【図９】
0006406573.tif 000010
【図１０】
0006406573.tif 000011
【図１１】
0006406573.tif 000012
【図１２】
0006406573.tif 000013
【図１３】
0006406573.tif 000014
【図１４】
0006406573.tif 000015
【図１５】
0006406573.tif 000016
【図１６】
0006406573.tif 000017
【図１７】
0006406573.tif 000018
【図１８】
0006406573.tif 000019
【図１９】
0006406573.tif 000020